(57)【要約】【課題】騒音防止のために主吸込流路の外周に副吸込流路を備えたヘアードライヤにおいて、副吸込流路からの塵埃や毛髪の侵入を防ぐ。【解決手段】ファン３を内蔵する本体ケース１の後端に、吸込口８を有する。本体ケース１の吸込口８には、後ろ拡がりの主吸込流路３３を有するベルマウス型の吸込口リング３０を備えており、本体ケース１の吸込口８の内面と、吸込口リング３０の外面との間に、副吸込流路３８が形成されている。本体ケース１の吸込口８に吸気グリル１０が装着されている。吸気グリル１０は、主面部４０と、主面部４０の外周端から前方へ張り出し形成されたフランジ４１とを含み、主吸込流路３３の外気入口側が、通孔４５を有する前記主面部４０で覆われており、副吸込流路３８の外気入口側が、通孔４５を有する前記フランジ４１で覆われている。【選択図】        図１
2004293389.tif 000002
【特許請求の範囲】
【請求項１】
ファン３を内蔵する筒状の本体ケース１の後端に吸込口８を有し、
本体ケース１には、吸込口８に、後ろ拡がりの主吸込流路３３を有するベルマウス型の吸込口リング３０を備えており、
本体ケース１の吸込口８の内面と、吸込口リング３０の外面との間に、副吸込流路３８が形成されているヘアードライヤにおいて、
主吸込流路３３および副吸込流路３８の後方の外気入口側が、本体ケース１に装着した吸気グリル１０でそれぞれ覆われていることを特徴とするヘアードライヤ。
【請求項２】
吸気グリル１０が、主面部４０と、主面部４０の外周端から前方へ張り出し形成されたフランジ４１とを含み、
主吸込流路３３の外気入口側が、通孔４５を有する前記主面部４０で覆われており、
副吸込流路３８の外気入口側が、通孔４５を有する前記フランジ４１で覆われている請求項１記載のヘアードライヤ。
【請求項３】
プラスチック製の本体ケース１に、有孔金属板製の吸気グリル１０が、フランジ４１を介して超音波溶着されている請求項２記載のヘアードライヤ。
【請求項４】
本体ケース１の後端の内周面に、吸気グリル１０のフランジ４１の前端部が嵌合する装着部４２を内凹み状に形成してあり、
この装着部４２に前記フランジ４１が超音波溶着されている請求項３記載のヘアードライヤ。
【請求項５】
吸込口リング３０が、後ろ拡がり状のテーパー筒部３１と、このテーパー筒部３１の前端から前方へ延びる直筒部３２とを含み、直筒部３２の外周に、本体ケース１の吸込口８の内面につながる複数個のリブ３５が突設されており、
本体ケース１と吸込口リング３０とが、前記リブ３５を介して一体にプラスチック成形されている請求項１記載のヘアードライヤ。
【請求項６】
吸気グリル１０のフランジ４１の前端部の外周に、係合爪４７が突設されており、
本体ケース１の内面に形成した被係合部４９に、係合爪４７が嵌係合している請求項２記載のヘアードライヤ。
【請求項７】
ファン３を内蔵する筒状の本体ケース１の後端に吸込口８を有し、
本体ケース１には、吸込口８に、後ろ拡がりの主吸込流路３３を有するベルマウス型の吸込口リング３０を備えており、
本体ケース１の吸込口８の内面と、吸込口リング３０の外面との間に、副吸込流路３８が形成されているヘアードライヤにおいて、
副吸込流路３８の前方の外気出口側が、本体ケース１内に装着した通気性フィルタ５６で覆われていることを特徴とするヘアードライヤ。
【発明の詳細な説明】
【０００１】
【発明の属する技術分野】
本発明は、外気の吸い込み側部分の構造に特徴を有するヘアードライヤに関する。
【０００２】
【従来の技術】
ヘアードライヤの分野において、騒音の低減化のために、主吸込流路とは別に副吸込流路を外周に形成することが、例えば特許文献１や特許文献２に公知である。特許文献１では、本体ケースの吸込口の内面と、ベルマウス型の吸込口リングの外面との間に、本体ケースの後方側から取り込んだ外気を内部のファンへ導く副吸込流路が形成されている。特許文献２では、本体ケースの側面に吸込口を設け、この吸込口に連通するように、本体ケースの内面と吸込口リングの外面との間に副吸込流路が形成されている。
【０００３】
【特許文献１】
特開平９−１６４０１４号公報（図１）
【特許文献２】
特開平１０−２５７９１７号公報（図３）
【０００４】
【発明が解決しようとする課題】
このように、本体ケースの吸込口の内面と、吸込口リングの外面との間に、本体ケースの後方側から取り込んだ外気をファン側に導く副吸込流路が形成されていると、ファンの後ろ側と吸込口リングの後端部との間に渦が発生するのを抑制できるので、騒音を低減できる。但し、上記の各特許文献では、副吸込流路からの塵埃や毛髪の侵入防止対策が講じられておらず、この点で動作不良が発生するおそれがあった。
【０００５】
そこで本発明の目的は、副吸込流路からの塵埃や毛髪の侵入を防止して、動作不良の発生を防ぐことができるヘアードライヤを提供することにある。
【０００６】
【課題を解決するための手段】
本発明は、図１および図２に示すように、ファン３を内蔵する筒状の本体ケース１の後端に吸込口８を有し、本体ケース１の吸込口８には、後ろ拡がりの主吸込流路３３を有するベルマウス型の吸込口リング３０を備えており、本体ケース１の吸込口８の内面と、吸込口リング３０の外面との間に、副吸込流路３８が形成されているヘアードライヤにおいて、主吸込流路３３および副吸込流路３８の後方の外気入口側が、本体ケース１に装着された吸気グリル１０でそれぞれ覆われていることを特徴とする。
【０００７】
吸気グリル１０は、図５に示すごとく、主面部４０と、主面部４０の外周端から前方へ張り出し形成されたフランジ４１とを含み、主吸込流路３３の外気入口側は、通孔４５を有する前記主面部４０で覆われており、副吸込流路３８の外気入口側は、通孔４５を有する前記フランジ４１で覆われている。
【０００８】
プラスチック製の本体ケース１に、有孔金属板製の吸気グリル１０がフランジ４１を介して超音波溶着されている。具体的には、本体ケース１の後端の内周面に、吸気グリル１０のフランジ４１の前端部が嵌合する装着部４２を内凹み状に形成してあり、この装着部４２に前記フランジ４１が超音波溶着されている。
【０００９】
吸込口リング３０は、後ろ拡がり状のテーパー筒部３１と、このテーパー筒部３１の前端から前方へ延びる直筒部３２とを含み、直筒部３２の外周に、本体ケース１の吸込口８の内面につながる複数個のリブ３５が突設されており、本体ケース１と吸込口リング３０とが、前記リブ３５を介して一体にプラスチック成形されている。
【００１０】
吸気グリル１０の取り付けは、図７ないし図９に示すごとく、これのフランジ４１の前端部の外周に係合爪４７を突設し、本体ケース１の内面に設けた被係合部４９に、係合爪４７が抜け止め状に嵌係合するようにしてもよい。
【００１１】
また、本発明は、図１０に示すごとくファン３を内蔵する筒状の本体ケース１の後端に吸込口８を有し、本体ケース１には、吸込口８に、後ろ拡がりの主吸込流路３３を有するベルマウス型の吸込口リング３０を備えており、本体ケース１の吸込口８の内面と、吸込口リング３０の外面との間に、副吸込流路３８が形成されているヘアードライヤにおいて、副吸込流路３８の前方の外気出口側が、本体ケース１内に装着した通気性フィルタ５６で覆われていることを特徴とする。
【００１２】
【発明の作用効果】
本発明のヘアードライヤでは、図１に示すごとく、主吸込流路３３および副吸込流路３８のそれぞれの外気入口側が、本体ケース１の吸込口８に装着した吸気グリル１０で覆われている。具体的には、吸気グリル１０が主面部４０とフランジ４１とからなり、通孔４５を有する主面部４０で主吸込流路３３の外気入口側を覆い、通孔４５を有するフランジ４１で副吸込流路３８の外気入口側を覆っている。このように、副吸込流路３８も吸気グリル１０で覆われていると、外気を吸い込む際に、塵埃や毛髪が副吸込流路３８を介して本体ケース１内に侵入することをよく防止できるので、塵埃等の侵入による動作不良を抑えて、ヘアードライヤの信頼性の向上を図ることができる。
【００１３】
本来は主吸込流路３３の外気入口側のみを覆う吸気グリル１０で、副吸込流路３８の外気入口側まで覆うようにしたので、部品点数が増加せず、ヘアードライヤの組み立てにも手間が掛からず、その分だけ安価に製造できる。
【００１４】
プラスチック製の本体ケース１に、有孔金属板製の吸気グリル１０を超音波溶着する仕様によれば、取り付けが簡単で確実なものとなる。その際に、本体ケース１の後端の内周面に装着部４２を内凹み状に形成し、この装着部４２に吸気グリル１０のフランジ４１を嵌合するようにしてあると、装着部４２にフランジ４１を面接触状態で位置決めしたのち確実に超音波溶着できる。
【００１５】
吸込口リング３０が、テーパー筒部３１と直筒部３２とからなり、直筒部３２の外周に複数個のリブ３５が突設され、これらリブ３５が本体ケース１の吸込口８の内面につながる形態によれば、本体ケース１と吸込口リング３０とを、前記リブ３５を介して一体にプラスチック成形でき、この点でも安価に量産するに適っている。
【００１６】
吸気グリル１０のフランジ４１の前端部の外周に、図７に示すごとく係合爪４７が突設され、本体ケース１の内面に形成した被係合部４９に係合爪４７が嵌係合する形態によれば、吸気グリル１０の全体をプラスチック製にする場合などにおいて、本体ケース１にこれの後方側から吸気グリル１０をパチッと嵌め込むだけで抜け止め状に取り付けることができる。
【００１７】
先のヘアードライヤにおいて、本発明の副吸込流路３８は、図１０に示すごとくこれの前方の外気出口側が、本体ケース１内に装着の通気性フィルタ５６で覆うようにしてもよい。これによっても、所期の目的をよく達成できる。
【００１８】
【発明の実施の形態】
（第１実施例）  図１ないし図４は本発明に係るヘアードライヤの第１実施例を示す。図２においてヘアードライヤは、横長の丸筒状に形成されたプラスチック製の本体ケース１と、本体ケース１の後端部の下方に設けられた手持ち用のグリップ部２とを有する。本体ケース１の内部にはファン３、送風ユニット４、イオン発生器５などが収容されている。
【００１９】
本体ケース１は、前端に吹出口６を有する前ケース７と、前ケース７に結合されて後端に吸込口８を有する後ケース９とを含み、吸込口８側に吸気グリル１０を備えている。前ケース７の吹出口６には、吹出ノズル１２が着脱自在に装着される。吹出ノズル１２の内部中央には、内筒１３が配されている。
【００２０】
送風ユニット４は、前記ファン３と、ファン３を回転駆動するモータ１５と、十文字状に組まれた絶縁枠に螺旋状に巻き付けられたヒータ１６とを含む。ファン３を回転駆動することにより、外気が吸引口８から本体ケース１内に吸い込まれて吹出ノズル１２の先端から吹き出る。このとき、ヒータ１６で外気を加熱すれば、温風が吹き出る。
【００２１】
本体ケース１の前端側の内部には、マイナスイオンの発生器５が組み込まれている。イオン発生器５は、図２に示すごとく針状電極１７と、針状電極１７の外周を囲む周囲電極１８とを含む。イオン発生器５を駆動する電気回路としては、整流回路およびパルス発生回路が実装された回路基板と、昇圧用のトランス１９とからなる。
【００２２】
商用電源（１００Ｖ）からの電流を整流回路で整流したうえで、パルス発生回路で高圧のパルスに変換する。ついで、このパルスをトランス１９で昇圧して、例えば４ｋＶに昇圧した高電圧を針状電極１７に印加し、この針状電極１７から周囲電極１８に向けて電子を放出させる。これによって、両電極１７・１８の周辺の空気中の酸素分子が水分と結合してマイナスイオン化され、これが吹出ノズル１２から温風と共に放出される。これら回路基板とトランス１９とは、図１に示すごとく、ヒータ１６用の絶縁枠を切り欠いて形成した空間に配することができる。
【００２３】
後ケース９は、モータ保持筒２０をはさんで前ケース７の後端部の内周に、これの開口後面側から抜け止め状に嵌め込み固定される。モータ保持筒２０は、図１に示すごとくモータ１５の後端部の外周に嵌着する中筒２１と、前ケース７の内周面に嵌合する外筒２２と、中筒２１と外筒２２とをつなぐ放射状の整流翼２３とが一体に形成されたプラスチック成形品であり、モータ１５を本体ケース１の内部中央位置に前後向き姿勢で位置決め保持する。
【００２４】
本体ケース１の下部にはブラケット２５を突設してあり、このブラケット２５に横軸２６を介してグリップ部２が本体ケース１の下面に添う折り畳み姿勢と、下方に延びる使用姿勢とにわたって回動可能に枢結されている。図１および図３においてブラケット２５は、前ケース７の後端側の外周下部から一体に突設された半割りの前ボス２５ａと、後ケース９の外周下部から一体に突設された半割りの後ボス２５ｂとで中空筒状に形成されており、後ボス２５ｂの下端部近傍に前記横軸２６が装着されている。
【００２５】
グリップ部２の前面には、風量制御スイッチとヒータースイッチとイオンスイッチとを操作する電源スイッチノブ２７が上下スライド自在に設けられており、グリップ部２内に該ノブ２７で切り換え操作される先のスイッチが収容されている。
【００２６】
図１において、本体ケース１（後ケース９）の後端には、本体ケース１と一体に成形されたベルマウス型の吸込口リング３０を備えている。この吸込口リング３０は、後ろ拡がり状のテーパー筒部３１と、該テーパー筒部３１の縮径側の前端から前方へ真っ直ぐに延びる直筒部３２とを含み、吸込口リング３０の内側が、テーパー筒部３１の後端開口面を外気入口側とする主吸込流路３３になっている。
【００２７】
図１および図５に示すごとく、テーパー筒部３１の後端３１ａは、本体ケース１の後端から僅かに後方に突出している。テーパー筒部３１の後端３１ａの外径寸法は、本体ケース１の後端の円形内周面の内径寸法とほぼ同一寸法に設定してある。
【００２８】
図４および図５において直筒部３２の外径寸法は、本体ケース１の内径寸法よりも僅かに小さく設定されている。直筒部３２の前端外周には、円周方向に所定間隔を置いて複数個のリブ３５が放射状に突設されており、吸込口リング３０は、本体ケース１の内面と該リブ３５で一体につながっている。隣り合うリブ３５・３５間は、ファン３の後端の内部空間に連通する吸気孔３６になっている。
【００２９】
テーパー筒部３１の後端３１ａは、本体ケース１の後端よりも僅かに後方へ突出しており、テーパー筒部３１の後端３１ａと本体ケース１の後端との間には、本体ケース１の後方外部から吸気孔３６に連通する円環状の空隙３７が形成されている。かくして、図１に示すごとく、これら空隙３７と吸気孔３６とにより、該空隙３７を外気入口側とする副吸込流路３８が、吸込口リング３０の外周面と本体ケース１の内周面との間に形成されている。
【００３０】
本体ケース１の後端に吸気グリル１０を装着したとき、この吸気グリル１０で主吸込流路３３と副吸込流路３８とは、それぞれの外気入口側が覆われている。図１および図５において吸気グリル１０は、多数の小さい通孔４５が縦横に列設されたパンチングメタルからなり、後方に向けて凸曲する断面円弧形状の主面部４０と、この主面部４０の外周端から前方へ向けて張り出し形成された円環状のフランジ４１とからなる。ここでは、フランジ４１にも通孔４５が設けられているので、後述するように該通孔４５を介して外気がフランジ４１の径方向外側から副吸込流路３８に流入できることになる。
【００３１】
本体ケース１の後端内周面には、フランジ４１の前端部を保持するための装着部４２が、フランジ４１の肉厚分だけ凹み形成されており、装着部４２の内壁面でフランジ４１の外周面が受け止められる。装着部４２は、成形の都合上、前記リブ３５が存在する箇所においてのみ溝状になる（図５の下側）。なお、図５において、符号３５ａは、リブ３５が存在する箇所において、装着部４２の内壁面と対峙する吸込口リング３０の対向面を示し、該対向面３５ａと装着部４２の内壁面とでフランジ４１の前端部を部分的に挟持する。
【００３２】
吸気グリル１０の取り付けに際しては、図１および図２に示すように、本体ケース１の吸込口８にこれの後方から吸気グリル１０を案内し、フランジ４１を装着部４２に挿入し、装着部４２の内周面にフランジ４１の外周面を面接合させる。その際、吸気グリル１０のフランジ４１は、テーパー筒部３１の後端３１ａと装着部４２の内壁面とで実質的に挟持された位置決め（仮止め）状態となる。同時にフランジ４１は、装着部４２の内壁面と吸込口リング３０の対向面３５ａとで部分的に挟持され、これによっても吸気グリル１０は遊動不能に位置決め姿勢に保持される。
【００３３】
次いで、かかる位置決め状態から吸気グリル１０のフランジ４１と、これの外周面が対向する装着部４２の内壁面とを超音波溶着する。これにより、本体ケース１の後端側に吸気グリル１０を抜け止め状に固定できる。詳しくは、吸気グリル１０のフランジ４１が当接している装着部４２の内壁面および吸込口リング３０の対向面３５ａの一部が超音波によって溶融して吸気グリル１０が固定される。特に超音波溶着装置のホーンを吸気グリル１０の後方から吸気グリル１０に押し当てた状態で振動させるので、フランジ４１の前端部分での溶融度合いが大きく、この部分での固定が強固なものとなる。加えて、先に述べたように、フランジ４１は、装着部４２の内壁面と吸込口リング３０の対向面３５ａとで部分的に挟持されているので、これによっても吸気グリル１０の固定はより一層確りとしたものとなる。
【００３４】
上記構成のヘアードライヤにおいて、ファン３が回転すると、吸気グリル１０の主面部４０の通孔４５を介して吸込口リング３０の主吸込流路３３に外気が吸い込まれる。と同時に、その時に負圧となる副吸込流路３８からは外気が急速に吸い込まれて、ファン３の後ろ側と吸込口リング３０の縮径側の前端部との間を外気が一様に流れる。このため、ファン３の後ろ側と吸込口リング３０の縮径側前端部との間に渦が発生するのを抑制でき、騒音を低減化できる。
【００３５】
その際、主吸込流路３３の後方の外気入口側が吸気グリル１０の主面部４０で覆われているだけではなく、副吸込流路３８の後方の外気入口側も吸気グリル１０のフランジ４１で覆われている。従って、外気を吸い込む際に、塵埃や毛髪が副吸込流路３８を介して本体ケース１内に侵入することをよく防止できる。
【００３６】
（第２実施例）  図６は本発明の第２実施例を示しており、本体ケース１（後ケース９）の後端面５１に、差し込み溝からなる装着部４２が周回状に形成されている。第２実施例では、装着部４２にこれの後方から吸気グリル１０のフランジ４１を差し込んだのち、超音波溶着している。その他の構成は、第１実施例と実質的に同一であるから、同一部材には同一符号を付して説明を省略する。
【００３７】
（第３実施例）  図７ないし図９は本発明の第３実施例を示しており、ここでは本体ケース１の後端にプラスチック製の吸気グリル１０のフランジ４１をこれに設けた係合爪４７で抜け止め状に保持している。
【００３８】
すなわち、吸気グリル１０には、図８および図９に示すごとく、フランジ４１の前端外周の数箇所に係合爪４７を突設する。本体ケース１の後端内周面には、前記装着部４２を周回状に凹み形成し、この装着部４２の前端に、被係合部４９が更に内凹み状に形成されている。被係合部４９は、周回状に形成されていてもよいし、分断状に形成されていてもよい。係合爪４７も周回状に形成しておくことができる。
【００３９】
これによれば、吸気グリル１０のフランジ４１の弾性を利用して、図７に示すごとくフランジ４１を装着部４２に差し込み嵌合し、係合爪４７を被係合部４９に落とし込み係合する。これで吸込口８に吸気グリル１０を抜け止め状に保持固定する。加えて、先に述べたように、フランジ４１は、装着部４２の内壁面と吸込口リング３０の対向面３５ａとで部分的に挟持されており、これによっても吸気グリル１０の固定はより一層確りとしたものとなる。その他の構成は、第１実施例と実質的に同一であるから、同一部材には同一符号を付して説明を省略する。
【００４０】
（第４実施例）  図１０は本発明の第４実施例を示しており、この場合の吸気グリル１０は、主吸込流路３３の後方の外気入口側のみを覆い、副吸込流路３８の前方の外気出口側は通気性フィルタ５６で覆うようになっている。
【００４１】
すなわち、本体ケース１（後ケース９）の後端内周面には、図１０に示すごとく開口部５７を全周にわたって段付き状に形成し、本体ケース１の後端開口面を広口化する。そして、開口部５７の内周面と、吸込口リング３０の外周面との間が、副吸込流路３８に設定されている。本体ケース１内には、開口部５７の前端に通気性フィルタ５６を装着する。
【００４２】
通気性フィルタ５６は、パンチングメタルやプラスチックなどを素材として、リング状に形成されており、その全面に多数の小さな貫通孔６０を備えている。本体ケース１の内周面には、前記開口部５７の前端側に段面５８が周回状に形成されており、この段面５８で通気性フィルタ５６の外周縁部が受け止められる。かくして、副吸込流路３８の前方の本体ケース内空間に臨む外気出口側が通気性フィルタ５６で覆われた形態になっている。
【００４３】
ここでの吸込口リング３０は、本体ケース１とは別体に成形されており、直筒部３２の外周に突設した複数の前記リブ３５（図４参照）を介して、本体ケース１内に嵌め込み装着されている。吸込口リング３０のテーパー筒部３１の後端外周面には、前向きの係止面６１が形成されている。吸込口リング３０は、本体ケース１に装着するに先立って予め吸込口リング３０に吸気グリル１０を取り付ける。すなわち、パンチングメタルからなる吸気グリル１０のフランジ４１の前端に複数の係合片６２を前方へ向けて突設してある。この係合片６２を直角に折り曲げて前記係止面６１に係合させることにより、吸気グリル１０は吸込口リング３０にかしめ付けられている。
【００４４】
具体的には、本体ケース１に通気性フィルタ５６を嵌め込んで段面５８で受け、次いで本体ケース１に吸込口リング３０を後端側から装着する。これで吸込口リング３０の直筒部３２の前端と、段面５８とで通気性フィルタ５６が遊動不能に挟持固定される。
【図面の簡単な説明】
【図１】第１実施例の要部の縦断側面図
【図２】第１実施例の全体の縦断側面図
【図３】前ケースと後ケースとを分解した状態での側面図
【図４】図３におけるＡ−Ａ線断面図
【図５】図４におけるＢ−Ｂ線断面図
【図６】第２実施例の要部の縦断側面図
【図７】第３実施例の要部の縦断側面図
【図８】図７におけるＣ−Ｃ線断面図
【図９】図８におけるＤ−Ｄ線断面図
【図１０】第４実施例の要部の縦断側面図
【符号の説明】
１  本体ケース
３  ファン
６  吹出口
７  前ケース
８  吸込口
９  後ケース
１０  吸気グリル
３０  吸込口リング
３１  吸込口リングのテーパー筒部
３２  吸込口リングの直筒部
３３  主吸込流路
３５  リブ
３８  副吸込流路
４０  吸気グリルの主面部
４１  吸気グリルのフランジ
４２  装着部
４５  通孔
【図１】
2004293389.tif 000003
【図２】
2004293389.tif 000004
【図３】
2004293389.tif 000005
【図４】
2004293389.tif 000006
【図５】
2004293389.tif 000007
【図６】
2004293389.tif 000008
【図７】
2004293389.tif 000009
【図８】
2004293389.tif 000010
【図９】
2004293389.tif 000011
【図１０】
2004293389.tif 000012